(57)【要約】      （修正有）【課題】タッチパネルとピクセルレイアウトとが重なり合うことによるモアレ現象の発生を抑制することができるタッチパネルを提供する。【解決手段】複数のタッチパネルコントローラ２１を含むタッチパネルであり、複数のタッチパネルコントローラ２１のそれぞれは、第一ドライブライン２１５と、第二ドライブライン２１６と、第一センスライン２１１と、第二センスライン２１２と、を含み、タッチパネルはピクセルレイアウト（ｐｉｘｅｌ  ｌａｙｏｕｔ）のある液晶ディスプレイに設置されており、ピクセルレイアウトはブラック・マトリックス（ｂｌａｃｋ  ｍａｔｒｉｘ）Ｘ軸とブラック・マトリックスＹ軸を有し、第一ドライブライン、第二ドライブライン、第一センスライン及び第二センスラインはそれぞれ複数の折角のあるヘリを有し、複数のヘリのそれぞれはブラック・マトリックスＸ軸とブラック・マトリックスY軸とは平行ではない。【選択図】図４
0003194366.tif 000002
【実用新案登録請求の範囲】
【請求項１】
あるタッチパネル、複数のタッチパネルコントローラを含む。各タッチパネルコントローラは、以下のものを含む：
第一ドライブライン；
第二ドライブライン；
第一センスライン；及び
第二センスライン、
当該タッチパネルはピクセルレイアウト(pixel layout)のある液晶ディスプレイに設置されており、当該ピクセルレイアウトはブラック・マトリックス(black matrix)X軸とブラック・マトリックスY軸を有する。この中の第一ドライブライン、第二ドライブライン、第一センスラインと第二センスラインはそれぞれ複数の折角のあるヘリを有し、また各ヘリはブラック・マトリックスX軸とブラック・マトリックスY軸とは平行ではない。
【請求項２】
請求項１で述べられたタッチパネルは、この中の第二センスラインが第一センスラインとXY軸の交差する点で繋がっており、各のタッチパネルコントローラユニットは一つの絶縁体と金属線を含み、当該絶縁体は相応するXY軸の交差する点に設置されており、また当該金属線が当該絶縁体の上に設置されることによって、電気で第一ドライブラインと第二ドライブラインを連結させることができ、当該絶縁体が第一と第二ドライブライン及び第一と第二センスラインを隔離することができる。当該各ヘリの折角はブラック・マトリックスX軸又はブラック・マトリックスY軸と平行である平行線が各ヘリとの夾角であり、当該夾角の角度は０度、９０度、１８０度に等しくなく、タッチパネルとピクセルレイアウトの間にモアレ現象(Moire)の発生を抑制するためというわけである。
【請求項３】
請求項２で述べられたタッチパネルは、この中の各夾角の角度は２０度〜１５０度の間にあり、また各夾角の角度は９０度に等しくなく、各ヘリは曲線である。
【請求項４】
請求項１で述べられたタッチパネルは、この中のタッチパネルユニットの第一センスラインと第一ドライブラインの間には第一修正エリアを含み、第一センスラインと第二ドライブラインの間には第二修正エリアを含み、第二センスラインと第一ドライブラインの間には第三修正エリアを含み、また第二センスラインと第二ドライブラインの間には第四修正エリアを含み、第一〜四修正エリアはそれぞれ０または一つの補助ブロックを含んでいる。
【請求項５】
請求項４で述べられたタッチパネルは、この中の第一〜四修正エリアが一つの補助ブロックを含んだ場合、第一センスライン、第一修正エリア、第一ドライブライン、第三修正エリアと第二センスラインの間に一つの第一導電層フリーエリアがあり、また第一センスライン、第二修正エリア、第二ドライブライン、第四修正エリアと第二センスラインの間に一つの第二導電層フリーエリアがある。当該第一修正エリアは補助ブロックを含んでいない場合、第一修正エリアは第一センスラインの一部分である。当該第二修正エリアは補助ブロックを含んでいない場合、第二修正エリアは第一センスラインの一部分である。当該第三修正エリアは補助ブロックを含んでいない場合、該第三修正エリアは第二センスラインの一部分である。当該第四修正エリアは補助ブロックを含んでいない場合、第四修正エリアは第二センスラインの一部分である。
【請求項６】
請求項４で述べられたタッチパネルは、この中の第一と第二ドライブライン、第一と第二センスラインと各補助ブロックは全て透明導電膜として構成されている。
【請求項７】
あるタッチパネル、複数のタッチパネルコントローラを含む。各タッチパネルコントローラは、以下のものを含む：
第一ドライブライン；及び
第一センスライン、
当該タッチパネルはピクセルレイアウト(pixel layout)のある液晶ディスプレイに設置されており、当該ピクセルレイアウトはブラック・マトリックス(black matrix)X軸とブラック・マトリックスY軸を有する。この中の第一ドライブライン、第二ドライブライン、第一センスラインと第二センスラインはそれぞれ複数の折角のあるヘリを有し、また各ヘリはブラック・マトリックスX軸とブラック・マトリックスY軸とは平行ではない。
【請求項８】
あるタッチパネルである。当該タッチパネルはピクセルレイアウト(pixel layout)のある液晶ディスプレイに設置されており、当該ピクセルレイアウトはブラック・マトリックス(black matrix)X軸とブラック・マトリックスY軸を有する。当該タッチパネルは複数のタッチパネルコントローラを含む。各タッチパネルコントローラは、以下のものを含む：
複数の電極ワイヤ、各電極ワイヤはヘリを有し、このヘリはブラック・マトリックスX軸とブラック・マトリックスY軸とは平行ではない。
【請求項９】
請求項８で述べられたタッチパネルは、第二ドライブラインと第二センスラインを含み、この中の第二ドライブラインと第二センスラインはそれぞれ複数の折角のあるヘリを有し、また各へりはブラック・マトリックスX軸とブラック・マトリックスY軸とは平行ではないとのことによって、当該タッチパネルとピクセルレイアウトの間にモアレ現象(Moire)の発生を抑制することができる。
【請求項１０】
請求項８で述べられたタッチパネルは、当該ヘリの各々の折角はブラック・マトリックスX軸又はブラック・マトリックスY軸との夾角であり、当該夾角の角度は０度、９０度、１８０度に等しくない。
【考案の詳細な説明】
【技術分野】
【０００１】
本考案は、タッチパネルのデザインに関しており、特にモアレ現象の発生を抑制することができるタッチパネルのデザインのことをいう。
【背景技術】
【０００２】
液晶パネル(LCD)における画素(pixel)は規則的に配列されており、特にタッチパネル(touch panel)の電極パターン(pattern)はピクセル密度(pixel pitch)が高く、また電極パターンと互いに平行した場合において、両者が重なり合うとモアレ現象(Moire phenomenon)を生じやすい。モアレ現象が発生することを防止するため、電極パターン(pattern)の規則性を打破しなければ、モアレ現象の発生を解決することはできない。
【０００３】
図１は、従来のタッチパネルの透明導電膜(例えば：酸化インジウムスズITO)の図面を示す。図１においては、このタッチパネル１は多数のタッチパネルコントローラユニット１１を含む。
【０００４】
図２は、従来の液晶ディスプレイにおけるRGB配列図を示す。図２の液晶ディスプレイにおけるRGB配列２は多数のRGBユニットを含む。
【０００５】
図３aは、従来のタッチパネルコントローラユニット１１を示す。この従来のタッチパネルコントローラユニット１１は第一センスライン１１１、第二センスライン１１２、第一修正エリア１１３、第二修正エリア１１４、絶縁体１１５、金属線１１６、第一導電層フリーエリア１１７、第二導電層フリーエリア１１８、第一ドライブライン１１９、第二ドライブライン１１１０、第三修正エリア１１１１と第四修正エリア１１１２を含む。当該第一〜第四修正エリア１１３、１１４、１１１１と１１１２はそれぞれ一つの補助ブロックを含んだ場合、当該単一のタッチパネルコントローラユニット１１は，第一導電層フリーエリア１１７と第二導電層フリーエリア１１８を除き、他の部分は全て透明導電膜(例えば：酸化インジウムスズITO Indium Tin Oxide, ITO)として構成されている。当該第一〜四修正エリア１１３、１１４、１１１１と１１１２はそれぞれ補助ブロックを含んでいない場合、当該第一と第三修正エリア１１３と１１１１は当該第一ドライブライン１１９の一部分であり、第二と第四修正エリア１１４と１１１２は第二ドライブライン１１１０の一部分である。図３bは、図２のように従来の液晶ディスプレイにおけるRGB配列図を示す。図３cは、図３aが示したタッチパネルコントローラユニット１１と図３bが示した従来の液晶ディスプレイにおけるRGB配列２とは、両者が重なり合うことによるモアレ現象を示す。よって、どのように従来の技術を改善し、タッチパネル(touch panel)における電極パターン(pattern)を、液晶ディスプレイ(LCD)のピクセルレイアウト(pixel layout)(X/Y軸の方向)と平行となっていないデザインにすることによって、両者が重なり合うことによるモアレ現象を解決することは、深く考える価値のある問題である。
【０００６】
したがって、考案者は、従来技術の欠点を鑑み、これを思案して改良した上、本件の「タッチパネルのデザイン」を創作してきたのである。
【考案の概要】
【０００７】
本考案の目的はタッチパネルの図案を提供し、液晶ディスプレイのピクセルレイアウトと平行となっていないブラック・マトリックスのX/Y軸の方向をデザインさせることによって、タッチパネルとピクセルレイアウトとは、両者が重なり合うことによるモアレ現象を解決することである。
【０００８】
本考案の他の目的は、あるタッチパネルを提供し、複数のタッチパネルコントローラを含ませて、当該タッチパネルコントローラは、第一ドライブライン、第二ドライブライン、第一センスライン、及び第二センスラインとする。当該タッチパネルはピクセルレイアウト(pixel layout)のある液晶ディスプレイに設置し、当該ピクセルレイアウトにはブラック・マトリックス(black matrix)X軸とブラック・マトリックスY軸があり、当該第一ドライブライン、当該第二ドライブライン、当該第一センスラインと当該第二センスラインには、それぞれ複数の折角のあるヘリを有し、またそれぞれのヘリはブラック・マトリックスX軸とブラック・マトリックスY軸とは平行ではない。
【０００９】
本考案の他の主な目的は、あるタッチパネルを提供し、複数のタッチパネルコントローラを含ませ、当該タッチパネルコントローラは第一ドライブラインと第一センスラインを有し、当該タッチパネルはピクセルレイアウト(pixel layout)のある液晶ディスプレイに設置され，当該ピクセルレイアウトにはブラック・マトリックス(black matrix)X軸とブラック・マトリックスY軸があり、当該第一ドライブラインと第一センスラインはそれぞれ複数の折角のあるヘリを有し、またそれぞれのへりはブラック・マトリックスX軸とブラック・マトリックスY軸とは平行ではないことである。
【００１０】
本考案の次の主な目的は、あるタッチパネルを提供し、当該タッチパネルは液晶ディスプレイに設置され、当該液晶ディスプレイはピクセルレイアウト(pixel layout)を有し、当該ピクセルレイアウトはブラック・マトリックス(black matrix)X軸とブラック・マトリックスY軸を有し、当該タッチパネルは複数のタッチパネルコントローラを含み、各タッチパネルコントローラは複数の電極ワイヤを含み、各電極ワイヤはヘリを有し、このヘリはブラック・マトリックスX軸とブラック・マトリックスY軸とは平行ではないことである。
【００１１】
本考案の上述目的、特徴、メリットを理解しやすくするため、以下のように実施例を挙げ、添付図面と併せて詳しく説明する。
【図面の簡単な説明】
【００１２】
【図１】従来のタッチパネルにおける透明導電膜(例えば：酸化インジウムスズITO)を示す。
【図２】液晶ディスプレイにおけるRGB配列を示す。
【図３ａ】従来の単一タッチパネルコントローラユニットを示す。
【図３ｂ】図２と同様に示した従来の液晶ディスプレイにおけるRGB配列を示す。
【図３ｃ】図３aが示した従来の単一タッチパネルコントローラユニットと図３bが示した従来の液晶ディスプレイにおけるRGB配列とは、両者が重なり合うことによるモアレ現象を示す。
【図４】本考案による一番目の実施例の単一タッチパネルコントローラユニットを示す。
【図５】本考案による二番目の実施例の単一タッチパネルコントローラユニットを示す。
【考案を実施するための形態】
【００１３】
図４は、本考案による一番目の実施例の単一タッチパネルコントローラユニットを示す。図４では、当該単一タッチパネルコントローラユニットは第一センスライン２１１、第二センスライン２１２、第一修正エリア２１３、第二修正エリア２１４、絶縁体１１５、金属線１１６、第一ドライブライン２１５、第二ドライブライン２１６、第一導電層フリーエリア２１７、第二導電層フリーエリア２１８、第三修正エリア２１９と第四修正エリア２１１０を含む。当該第一〜第四修正エリア２１３、２１４、２１９と２１１０はそれぞれ０又は一つの補助ブロック(例えば、ダミーITO)を有する。当該第一〜四修正エリア２１３、２１４、２１９と２１１０はそれぞれ一つ以上の補助ブロックを含んだ場合、当該単一のタッチパネルコントローラユニット２１は，第一の導電層フリーエリア２１７と第二の導電層フリーエリア２１８を除き、他の部分は全て透明導電膜(例えば：酸化インジウムスズITO Indium Tin Oxide, ITO)で構成されている。当該第一〜四修正エリア２１３、２１４、２１９と２１１０は全て補助ブロックを含んでいない場合、当該第一と第三修正エリア２１４與２１１０は当該第一ドライブライン２１６の一部分である。当該単一のタッチパネルコントローラユニット２１のタッチパネルはピクセルレイアウト(pixel layout)のある液晶ディスプレイに設置されており、当該ピクセルレイアウトはブラック・マトリックス(black matrix)X軸とブラック・マトリックスY軸を有する。図４では、第一センスライン２１１、第二センスライン２１２、第一ドライブライン２１５と第二ドライブライン２１６のヘリは全て曲線であり、また当該曲線はブラック・マトリックスX軸とブラック・マトリックスY軸とは平行ではない。ユニット２１のタッチパネルはピクセルレイアウト(pixel layout)のある液晶ディスプレイに設置されており、当該ピクセルレイアウトはブラック・マトリックス(black matrix)X軸とブラック・マトリックスY軸を有する。図４では、第一のセンスライン２１１、第二センスライン２１２、第一ドライブライン２１５と第二ドライブライン２１６の各ヘリは全て曲線であり、また当該曲線はブラック・マトリックスX軸とブラック・マトリックスY軸とは平行ではない。当該ブラック・マトリックスX軸又はブラック・マトリックスY軸と平行である平行線が各ヘリとの夾角の角度は０度、９０度、１８０度に等しくなく、タッチパネルとピクセルレイアウトの間にモアレ現象(Moire)の発生を抑制するためというわけである。
【００１４】
図５は、本考案による二番目の実施例である単一タッチパネルコントローラユニットを示す。図５では、当該単一タッチパネルコントローラユニット３１は第一センスライン３１１、第二センスライン３１２、第一修正エリア３１３、第二修正エリア３１４、絶縁体１１５、金属線１１６、第一ドライブライン３１５、第二ドライブライン３１６、第一導電層フリーエリア３１７、第二導電層フリーエリア３１８、第三修正エリア３１９と第四修正エリア３１１０を含む。当該第一〜第四修正エリア３１３、３１４、３１９と３１１０は全て０又は一つ以上の補助ブロック(例えば、ダミーITO)を有する。当該第一〜第四修正エリア３１３、３１４、３１９と３１１０は全て一つの補助ブロックを含んだ場合、当該単一タッチパネルコントローラユニット３１は、第一導電層フリーエリア３１７と第二導電層フリーエリア３１８を除き、他の部分は全て透明導電膜(例えば：酸化インジウムスズITO Indium Tin Oxide, ITO)で構成されている。当該第一〜第四修正エリア３１３、３１４、３１９と３１１０は全て補助ブロックを含んでいない場合、当該第一と第三修正エリア３１３と３１９は当該第一ドライブライン３１５の一部分であり、当該第二と第四修正エリア３１４と３１１０は第二ドライブライン３１６の一部分である。当該単一タッチパネルコントローラユニット３１を有するタッチパネルはピクセルレイアウト(pixel layout)のある液晶ディスプレイに設置されており、当該ピクセルレイアウトはブラック・マトリックス(black matrix)X軸とブラック・マトリックスY軸を有する。図５では、第一センスライン３１１、第二センスライン３１２、第一ドライブライン３１５と第二ドライブライン３１６の各ヘリは全て曲線であり、また当該曲線はブラック・マトリックスX軸とブラック・マトリックスY軸とは平行ではない。当該曲線は全て複数の折角を有する。当該各へりの折角はブラック・マトリックスX軸又はブラック・マトリックスY軸と平行である平行線が各ヘリとの夾角であり、当該夾角の角度は０度、９０度、１８０度に等しくなく、タッチパネルとピクセルレイアウトの間にモアレ現象(Moire)の発生を抑制するためというわけである。
【００１５】
実施例：
【００１６】
１.あるタッチパネルであり、複数のタッチパネルコントローラユニットを含み、各のタッチパネルコントローラユニットの組み合わせものは以下の通り：
第一ドライブライン；
第二ドライブライン；
第一センスライン；及び
第二センスライン、
当該タッチパネルはピクセルレイアウト(pixel layout)のある液晶ディスプレイに設置されており、当該ピクセルレイアウトはブラック・マトリックス(black matrix)X軸とブラック・マトリックスY軸を有し、その中の第一ドライブライン、第二ドライブライン、第一センスラインと第二センスラインはそれぞれ複数の折角のあるヘリを有し、また各へりはブラック・マトリックスX軸とブラック・マトリックスY軸とは平行ではない。
【００１７】
２.実施例１で述べられたタッチパネルによって、その中の第二センスラインが第一センスラインとXY軸の交差する点で繋がっており、それぞれのタッチパネルコントローラユニットは一つの絶縁体と金属線を含み、当該絶縁体は相応するXY軸の交差する点に設置されており、また当該金属線が当該絶縁体の上に設置されることによって、電気で第一ドライブラインと第二ドライブラインを連結させることができる。また、当該絶縁体が第一と第二ドライブライン及び第一と第二センスラインを隔離することもできる。当該各ヘリの折角はブラック・マトリックスX軸又はブラック・マトリックスY軸と平行である平行線が各ヘリとの夾角であり、当該夾角の角度は０度、９０度、１８０度に等しくなく、タッチパネルとピクセルレイアウトの間にモアレ現象(Moire)の発生を抑制するためというわけである。
【００１８】
３.実施例１又は２で述べられたタッチパネルで、その中の各夾角の角度は２０度〜１５０度の間であり，また各夾角は９０度に等しくなく、各ヘリは曲線である。
【００１９】
４.上述のどれにおいても実施例で述べられたタッチパネルによって、その中の各タッチパネルコントローラユニットの第一センスラインと第一ドライブラインの間では第一修正エリアを含み、第一センスラインと第二ドライブラインの間では第二修正エリアを含み、第二センスラインと第一ドライブラインの間では第三修正エリアを含み、また第二センスラインと第二ドライブラインの間では第四修正エリアを含み、第一〜第四修正エリアはそれぞれ０又は一つの補助ブロックを含んでいる。
【００２０】
５.上述の実施例で述べられたタッチパネルによって、その中の第一〜四修正エリアはそれぞれ一つの補助ブロックを含んだ場合、第一センスライン、第一修正エリア、第一ドライブライン、第三修正エリアと第二センスラインの間に第一導電層フリーエリアがあり、また第一センスライン、第二修正エリア、第二ドライブライン、第四修正エリアと第二センスラインの間に第二導電層フリーエリアがある。当該第一修正エリアは補助ブロックを含んでいない場合、第一修正エリアは第一センスラインの一部分である。当該第二修正エリアは補助ブロックを含んでいない場合、第二修正エリアは第一センスラインの一部分である。当該第三修正エリアは補助ブロックを含んでいない場合、該第三修正エリアは第二センスラインの一部分である。当該第四修正エリアは補助ブロックを含んでいない場合、第四修正エリアは第二センスラインの一部分である。
【００２１】
６. 上述の実施例で述べられたタッチパネルにより、その中の第一と第二ドライブライン、第一と第二センスラインと各補助ブロックは全て透明導電膜で構成され、当該透明導電膜は酸化インジウムスズ(Indium Tin Oxide, ITO)、グラフェン(Graphene)、Ａｌドープ酸化亜鉛(Al-doped ZnO, AZO)、酸化亜鉛(zinc oxide, ZnO)、アンチモン(ATO)、ガリウム添加酸化亜鉛(Ga Doped ZnO，GZO)、Ｆドープ酸化錫(F Doped SnO２，FTO)及び、これらが組み合わせられている物の一つである。
【００２２】
７.あるタッチパネル、複数のタッチパネルコントローラを含む。各タッチパネルコントローラは、以下のものを含む：
第一ドライブライン；及び
第一センスライン，
当該タッチパネルはピクセルレイアウト(pixel layout)のある液晶ディスプレイに設置されており、当該ピクセルレイアウトはブラック・マトリックス(black matrix)X軸とブラック・マトリックスY軸を有し、その中の第一ドライブラインと第一センスラインはそれぞれ複数の折角のあるヘリを有し、また各ヘリはブラック・マトリックスX軸とブラック・マトリックスY軸とは平行ではない。
【００２３】
８.あるタッチパネルである。当該タッチパネルはピクセルレイアウト(pixel layout)のある液晶ディスプレイに設置されており、当該ピクセルレイアウトはブラック・マトリックス(black matrix)X軸とブラック・マトリックスY軸を有する。当該タッチパネルは複数のタッチパネルコントローラが含まれている。各タッチパネルコントローラは、以下のものを含む：
複数の電極ワイヤ、各電極ワイヤはヘリを有し、このヘリはブラック・マトリックスX軸とブラック・マトリックスY軸とは平行ではない。
【００２４】
９.実施例８で述べられたタッチパネルにより、このタッチパネルは第二ドライブラインと第二センスラインを含んでおり、この第二ドライブラインと第二センスラインには複数の折角のあるヘリを有し、また各へりはブラック・マトリックスX軸とブラック・マトリックスY軸とは平行ではないとのことによって、当該タッチパネルとピクセルレイアウトの間にモアレ現象(Moire)の発生を抑制することができる。
【００２５】
１０. 実施例８又は９で述べられたタッチパネルにより、当該各ヘリの折角はブラック・マトリックスX軸又はブラック・マトリックスY軸との夾角であり、当該夾角の角度は０度、９０度、１８０度に等しくない。
【００２６】
上述をまとめると、本考案はタッチパネルの図案を提供し、ブラック・マトリックスX軸とブラック・マトリックスY軸とは平行ではないデザインを利用することによって、タッチパネルとピクセルレイアウトの間にモアレ現象の発生を解決することができるので、確かに進歩性と新規性を有する。
【００２７】
したがって本件は、上述実施例の説明によって本考案を熟知している人が他の思案を加えて修正することができたとしても、出願で保護できる範囲を逸していない。
【符号の説明】
【００２８】
１ 従来のタッチパネル
１１ 従来のタッチパネルコントローラユニット
１１１ 第一センスライン
１１２ 第二センスライン
１１３ 第一修正エリア
１１４ 第二修正エリア
１１５ 絶縁体
１１６ 金属線
１１７ 第一導電層フリーエリア
１１８ 第二導電層フリーエリア
１１９第一ドライブライン
１１１０ 第二ドライブライン
１１１１ 第三修正エリア
１１１２ 第四修正エリア
２１ 本考案の一番目実施例のタッチパネルコントローラユニット
２１１ 第一センスライン
２１２ 第二センスライン
２１３ 第一修正エリア
２１４ 第二修正エリア
２１５ 第一ドライブライン
２１６ 第二ドライブライン
２１７ 第一導電層フリーエリア
２１８ 第二導電層フリーエリア
２１９ 第三修正エリア
２１１０ 第四修正エリア
３１本考案の二番目実施例のタッチパネルコントローラユニット
３１１ 第一センスライン
３１２ 第二センスライン
３１３ 第一修正エリア
３１４ 第二修正エリア
３１５ 第一ドライブライン
３１６ 第二ドライブライン
３１７ 第一導電層フリーエリア
３１８ 第二導電層フリーエリア
３１９ 第三修正エリア
３１１０ 第四修正エリア
【図１】
0003194366.tif 000003
【図２】
0003194366.tif 000004
【図３ａ】
0003194366.tif 000005
【図３ｂ】
0003194366.tif 000006
【図３ｃ】
0003194366.tif 000007
【図４】
0003194366.tif 000008
【図５】
0003194366.tif 000009
【手続補正書】
【提出日】平成26年9月22日(2014.9.22)
【手続補正１】
【補正対象書類名】実用新案登録請求の範囲
【補正対象項目名】全文
【補正方法】変更
【補正の内容】
【実用新案登録請求の範囲】
【請求項１】
複数のタッチパネルコントローラを含むタッチパネルであり、前記複数のタッチパネルコントローラのそれぞれは、
第一ドライブラインと、
第二ドライブラインと、
第一センスラインと、
第二センスラインと、を含み、
前記タッチパネルはピクセルレイアウト(pixel layout)のある液晶ディスプレイに設置されており、前記ピクセルレイアウトはブラック・マトリックス(black matrix)X軸とブラック・マトリックスY軸を有し、前記第一ドライブライン、前記第二ドライブライン、前記第一センスライン及び前記第二センスラインはそれぞれ複数の折角のあるヘリを有し、複数の前記ヘリのそれぞれは前記ブラック・マトリックスX軸と前記ブラック・マトリックスY軸とは平行ではないことを特徴とするタッチパネル。
【請求項２】
前記第二センスラインが前記第一センスラインとXY軸の交差する点で繋がっており、前記複数のタッチパネルコントローラのそれぞれは一つの絶縁体と金属線を含み、前記絶縁体は相応するXY軸の交差する点に設置されており、前記金属線が前記絶縁体の上に設置されることによって、電気で前記第一ドライブラインと前記第二ドライブラインを連結させることができ、前記絶縁体が前記第一と第二ドライブライン及び前記第一と第二センスラインを隔離することができ、前記複数のヘリのそれぞれの折角はブラック・マトリックスX軸又はブラック・マトリックスY軸と平行である平行線が各ヘリとの夾角であり、前記夾角の角度は０度、９０度、１８０度に等しくなく、前記タッチパネルと前記ピクセルレイアウトの間にモアレ現象(Moire)の発生を抑制することを特徴とする請求項１に記載のタッチパネル。
【請求項３】
前記夾角の角度は２０度〜１５０度の間にあり、前記夾角の角度は９０度に等しくなく、前記複数のヘリのそれぞれは曲線であることを特徴とする請求項２に記載のタッチパネル。
【請求項４】
前記タッチパネルの第一センスラインと前記第一ドライブラインの間には第一修正エリアを含み、前記第一センスラインと前記第二ドライブラインの間には第二修正エリアを含み、前記第二センスラインと前記第一ドライブラインの間には第三修正エリアを含み、前記第二センスラインと前記第二ドライブラインの間には第四修正エリアを含み、前記第一〜四修正エリアはそれぞれ０または一つの補助ブロックを含んでいることを特徴とする請求項１に記載のタッチパネル。
【請求項５】
前記第一〜四修正エリアが一つの前記補助ブロックを含んだ場合、前記第一センスライン、前記第一修正エリア、前記第一ドライブライン、前記第三修正エリアと前記第二センスラインの間に一つの第一導電層フリーエリアがあり、前記第一センスライン、前記第二修正エリア、前記第二ドライブライン、前記第四修正エリアと前記第二センスラインの間に一つの第二導電層フリーエリアがあり、前記第一修正エリアは前記補助ブロックを含んでいない場合、前記第一修正エリアは前記第一センスラインの一部分であり、前記第二修正エリアは前記補助ブロックを含んでいない場合、前記第二修正エリアは前記第一センスラインの一部分であり、前記第三修正エリアは前記補助ブロックを含んでいない場合、前記第三修正エリアは前記第二センスラインの一部分であり、前記第四修正エリアは前記補助ブロックを含んでいない場合、前記第四修正エリアは前記第二センスラインの一部分であることを特徴とする請求項４に記載のタッチパネル。
【請求項６】
前記第一と第二ドライブライン、前記第一と第二センスラインと前記補助ブロックは全て透明導電膜として構成されていることを特徴とする請求項４に記載のタッチパネル。
【請求項７】
複数のタッチパネルコントローラを含むタッチパネルであり、前記複数のタッチパネルコントローラのそれぞれは、
第一ドライブラインと、
第一センスラインと、を含み、
前記タッチパネルはピクセルレイアウト(pixel layout)のある液晶ディスプレイに設置されており、前記ピクセルレイアウトはブラック・マトリックス(black matrix)X軸とブラック・マトリックスY軸を有し、前記第一ドライブライン、第二ドライブライン、前記第一センスライン及び第二センスラインはそれぞれ複数の折角のあるヘリを有し、複数の前記ヘリは前記ブラック・マトリックスX軸と前記ブラック・マトリックスY軸とは平行ではないことを特徴とするタッチパネル。
【請求項８】
タッチパネルであり、ピクセルレイアウト(pixel layout)のある液晶ディスプレイに設置されており、前記ピクセルレイアウトはブラック・マトリックス(black matrix)X軸とブラック・マトリックスY軸を有し、前記タッチパネルは複数のタッチパネルコントローラを含み、前記複数のタッチパネルコントローラのそれぞれは、複数の電極ワイヤを含み、前記複数の電極ワイヤのそれぞれはヘリを有し、前記ヘリは前記ブラック・マトリックスX軸と前記ブラック・マトリックスY軸とは平行ではないことを特徴とするタッチパネル。
【請求項９】
第二ドライブラインと第二センスラインを含み、前記第二ドライブラインと前記第二センスラインはそれぞれ複数の折角のあるヘリを有し、複数の前記ヘリは前記ブラック・マトリックスX軸と前記ブラック・マトリックスY軸とは平行ではないとのことによって、前記タッチパネルと前記ピクセルレイアウトの間にモアレ現象(Moire)の発生を抑制することができることを特徴とする請求項８に記載のタッチパネル。
【請求項１０】
前記ヘリの各々の折角は前記ブラック・マトリックスX軸又は前記ブラック・マトリックスY軸との夾角であり、前記夾角の角度は０度、９０度、１８０度に等しくないことを特徴とする請求項８に記載のタッチパネル。